(57)【要約】【課題】本発明の課題は、点灯制御装置間の連動動作の設定の変更を当該点灯制御装置間の配線を変更せずに行える点灯制御システム、点灯制御装置及び点灯制御方法を提供することである。【解決手段】点灯制御システムは、第１及び第２点灯制御装置１０Ａ，１０Ｂを備える。第１及び第２点灯制御装置１０Ａ，１０Ｂは、連動端子部１３０に入力される電力が所定の条件を満たす場合に光源３０を点灯させる連動機能を有する。第１及び第２点灯制御装置１０Ａ，１０Ｂは、連動端子部１３０同士で電気的に接続される。第１点灯制御装置１０Ａは、第２イベントの発生に応答して連動端子部１３０から所定の条件を満たさない電力を出力する。第２点灯制御装置１０Ｂは、連動端子部１３０に入力された電力が所定の条件を満たしていない場合に連動機能を無効にする。【選択図】  図１
2018073685.tif 000002
【特許請求の範囲】
【請求項１】
第１及び第２点灯制御装置を備え、
前記第１及び第２点灯制御装置は、それぞれ、
電源端子部と、
光源に電気的に接続され、前記電源端子部に入力される電力に基づいて前記光源を点灯させる点灯回路と、
連動端子部と、
前記電源端子部に入力される電力に基づいて前記連動端子部から電力を出力する給電回路と、
前記連動端子部に入力される電力に基づく判定を行う判定回路と、
第１イベントの発生に応答して前記点灯回路を制御して前記光源を点灯させ、かつ、前記給電回路を制御して前記連動端子部から所定の条件を満たす電力を出力させる点灯処理を行う点灯機能、及び、前記連動端子部に入力される電力が前記所定の条件を満たしていると前記判定回路が判断すると前記点灯回路を制御して前記光源を点灯させる連動機能、を有する制御回路と、
を備え、
前記第１及び第２点灯制御装置は、それぞれの連動端子部同士で電気的に接続され、
前記第１点灯制御装置の制御回路は、第２イベントの発生に応答して前記第１点灯制御装置の給電回路を制御して、前記所定の条件を満たさない電力を前記第１点灯制御装置の連動端子部から出力する通知処理を行う第１機能を有し、
前記第２点灯制御装置の制御回路は、前記第２点灯制御装置の連動端子部に入力された電力が前記所定の条件を満たしていないと前記第２点灯制御装置の判定回路が判断すると前記連動機能を無効にする無効化処理を行う第２機能を有する、
点灯制御システム。
【請求項２】
前記第２イベントは、前記第１点灯制御装置の電源端子部に入力される電力により前記第１点灯制御装置の制御回路が動作を開始したことである、
請求項１の点灯制御システム。
【請求項３】
前記第２点灯制御装置の制御回路は、動作を開始してから規定時間の間、前記第２機能を有効にし、前記規定時間の経過後、前記第２機能を無効にするように構成される、
請求項２の点灯制御システム。
【請求項４】
前記点灯機能は、前記点灯処理を所定の点灯時間継続し、
前記第２イベントは、前記電源端子部に入力される電力が所定のパターンで変化したことであり、
前記第１機能は、さらに、前記通知処理の実行後、第３イベントが発生するまでは、前記点灯回路を制御して前記光源を点灯させ続け、かつ、前記給電回路を制御して前記所定の条件を満たす電力を前記連動端子部から出力させ続ける連続点灯処理を行い、
前記第２機能は、さらに、前記無効化処理の後、前記連動端子部に入力された電力が前記所定の条件を満たさなくなると、前記連動機能を有効にする有効化処理を行う、
請求項１の点灯制御システム。
【請求項５】
さらに、連動点灯装置を備え、
前記連動点灯装置は、
前記第１点灯制御装置の連動端子部と前記第２点灯制御装置の連動端子部とに電気的に接続される接続端子部と、
光源に電気的に接続され、前記接続端子部に入力された電力が前記所定の条件を満たしている場合に前記光源を点灯させる駆動回路と、
を有する、
請求項１〜４のいずれか一つの点灯制御システム。
【請求項６】
前記第１及び第２点灯制御装置のそれぞれは、センサに電気的に接続され、
前記第１イベントは、前記センサで所定の状態を検出したことである、
請求項１〜５のいずれか一つの点灯制御システム。
【請求項７】
前記センサは、所定エリア内の人を検知する人感センサであり、
前記所定の状態は、前記所定エリア内に人が存在することである、
請求項６の点灯制御システム。
【請求項８】
電源端子部と、
光源に電気的に接続され、前記電源端子部に入力される電力に基づいて前記光源を点灯させる点灯回路と、
連動端子部と、
前記電源端子部に入力される電力に基づいて前記連動端子部から電力を出力する給電回路と、
前記連動端子部に入力される電力に基づく判定を行う判定回路と、
第１イベントの発生に応答して前記点灯回路を制御して前記光源を点灯させ、かつ、前記給電回路を制御して所定の条件を満たす電力を前記連動端子部から出力させる点灯処理を行う点灯機能、及び、前記連動端子部に入力される電力が前記所定の条件を満たしていると前記判定回路が判断すると前記点灯回路を制御して前記光源を点灯させる連動機能、を有する制御回路と、
ユーザからの指示を受け付ける入力器と、
を備え、
前記制御回路は、第１機能を有効にし第２機能を無効にする第１モードと、前記第１機能を無効にし前記第２機能を有効にする第２モードと、を有し、
前記第１機能は、第２イベントの発生に応答して前記給電回路を制御して前記所定の条件を満たさない電力を前記連動端子部から出力する通知処理を行う機能であり、
前記第２機能は、前記連動端子部に入力された電力が前記所定の条件を満たしていないと前記判定回路が判断すると前記連動機能を無効にする無効化処理を行う機能であり、
前記制御回路は、前記入力器で受け付けた前記指示に応じて、前記第１モードと前記第２モードとの一方で動作するように構成される、
点灯制御装置。
【請求項９】
電源端子部と、
光源に電気的に接続され、前記電源端子部に入力される電力に基づいて前記光源を点灯させる点灯回路と、
連動端子部と、
前記電源端子部に入力される電力に基づいて前記連動端子部から電力を出力する給電回路と、
前記連動端子部に入力される電力に基づく判定を行う判定回路と、
第１イベントの発生に応答して前記点灯回路を制御して前記光源を点灯させ、かつ、前記給電回路を制御して所定の条件を満たす電力を前記連動端子部から出力させる点灯処理を行う点灯機能、及び、前記連動端子部に入力される電力が前記所定の条件を満たしていると前記判定回路が判断すると前記点灯回路を制御して前記光源を点灯させる連動機能、を有する制御回路と、
を備え、
前記制御回路は、さらに、
第２イベントの発生に応答して前記給電回路を制御して前記所定の条件を満たさない電力を前記連動端子部から出力する通知処理を行う第１機能と、
前記連動端子部に入力された電力が前記所定の条件を満たしていないと前記判定回路が判断すると前記連動機能を無効にする無効化処理を行う第２機能と、
を有する、
点灯制御装置。
【請求項１０】
第１及び第２点灯制御装置を備える点灯制御システムにより実行される点灯制御方法であって、
前記第１及び第２点灯制御装置は、それぞれ、
電源端子部と、
光源に電気的に接続され、前記電源端子部に入力される電力に基づいて前記光源を点灯させる点灯回路と、
連動端子部と、
前記電源端子部に入力される電力に基づいて前記連動端子部から電力を出力する給電回路と、
前記連動端子部に入力される電力に基づく判定を行う判定回路と、
第１イベントの発生に応答して前記点灯回路を制御して前記光源を点灯させ、かつ、前記給電回路を制御して所定の条件を満たす電力を前記連動端子部から出力させる点灯処理を行う点灯機能、及び、前記連動端子部に入力される電力が前記所定の条件を満たしていると前記判定回路が判断すると前記点灯回路を制御して前記光源を点灯させる連動機能、を有する制御回路と、
を備え、
前記第１及び第２点灯制御装置は、それぞれの連動端子部同士で電気的に接続され、
前記点灯制御方法は、
前記第１点灯制御装置の制御回路により前記第１点灯制御装置の給電回路を制御して、前記所定の条件を満たさない電力を前記第１点灯制御装置の連動端子部から出力すること、
前記第２点灯制御装置の判定回路により、前記第２点灯制御装置の連動端子部に入力された電力が前記所定の条件を満たしているか否かを判定すること、及び
前記第２点灯制御装置の連動端子部に入力された電力が前記所定の条件を満たしていない場合に、前記第２点灯制御装置の制御回路により前記連動機能を無効にすること、
を含む、
点灯制御方法。
【発明の詳細な説明】
【技術分野】
【０００１】
本発明は、点灯制御システム、点灯制御装置及び点灯制御方法に関し、特に、点灯制御装置同士が連動動作を行う点灯制御システム、点灯制御装置及び点灯制御方法に関する。
【背景技術】
【０００２】
特許文献１は、対応する子機を、夫々に設けた人感センサの検知情報により調光制御する複数の親機（点灯制御装置）から構成されるシステム（点灯制御システム）を開示する。このシステムでは、複数の親機間の連動動作を行うための専用の通信線がなく、複数の親機間を調光信号線で順次接続している。特許文献１では、親機（第１の親機）の人感センサが人を検知した場合には、自身の照明ランプを全点灯させ、接続された子機に対しても全点灯させるために調光信号のデューティを変化させる。この第１の親機の調光信号は別の親機（第２の親機）の調光信号入力部に接続されている。第２の親機は第１の親機からの調光信号を監視しておくことにより、第１の親機が人を検知して点灯レベルを変化させたことが把握でき、第２の親機も第１の親機の動きに合わせて自身の照明ランプ及び子機を全点灯させることが可能となる。
【先行技術文献】
【特許文献】
【０００３】
【特許文献１】特開２００１−２１７０８２号公報
【発明の概要】
【０００４】
しかし、特許文献１では、親機間の連動動作の設定を変更するためには、親機間の配線を変更する必要がある。そのため、システムの設置が完了した後は親機間の連動動作の設定を変更することが難しかった。
【発明が解決しようとする課題】
【０００５】
本発明の課題は、点灯制御装置間の連動動作の設定の変更を点灯制御装置間の配線を変更せずに行える点灯制御システム、点灯制御装置及び点灯制御方法を提供することである。
【課題を解決するための手段】
【０００６】
本発明に係る一態様の点灯制御システムは、第１及び第２点灯制御装置を備える。前記第１及び第２点灯制御装置は、それぞれ、電源端子部と、点灯回路と、連動端子部と、給電回路と、判定回路と、制御回路と、を備える。前記点灯回路は、光源に電気的に接続され、前記電源端子部に入力される電力に基づいて前記光源を点灯させるように構成される。前記給電回路は、前記電源端子部に入力される電力に基づいて前記連動端子部から電力を出力するように構成される。前記判定回路は、前記連動端子部に入力される電力に基づく判定を行うように構成される。前記制御回路は、点灯機能及び連動機能を有する。前記点灯機能は、第１イベントの発生に応答して前記点灯回路を制御して前記光源を点灯させ、かつ、前記給電回路を制御して前記連動端子部から所定の条件を満たす電力を出力させる点灯処理を行う機能である。前記連動機能は、前記連動端子部に入力される電力が前記所定の条件を満たしていると前記判定回路が判断すると前記点灯回路を制御して前記光源を点灯させる機能である。前記第１及び第２点灯制御装置は、それぞれの連動端子部同士で電気的に接続される。前記第１点灯制御装置の制御回路は、第２イベントの発生に応答して前記第１点灯制御装置の給電回路を制御して前記所定の条件を満たさない電力を前記第１点灯制御装置の連動端子部から出力する通知処理を行う第１機能を有する。前記第２点灯制御装置の制御回路は、前記第２点灯制御装置の連動端子部に入力された電力が前記所定の条件を満たしていないと前記第２点灯制御装置の判定回路が判断すると前記連動機能を無効にする無効化処理を行う第２機能を有する。
【０００７】
本発明に係る別の態様の点灯制御装置は、電源端子部と、点灯回路と、連動端子部と、給電回路と、判定回路と、制御回路と、入力器と、を備える。前記点灯回路は、光源に電気的に接続され、前記電源端子部に入力される電力に基づいて前記光源を点灯させるように構成される。前記給電回路は、前記電源端子部に入力される電力に基づいて前記連動端子部から電力を出力するように構成される。前記判定回路は、前記連動端子部に入力される電力に基づく判定を行うように構成される。前記制御回路は、点灯機能及び連動機能を有する。前記点灯機能は、第１イベントの発生に応答して前記点灯回路を制御して前記光源を点灯させ、かつ、前記給電回路を制御して所定の条件を満たす電力を前記連動端子部から出力させる点灯処理を行う機能である。前記連動機能は、前記連動端子部に入力される電力が前記所定の条件を満たしていると前記判定回路が判断すると前記点灯回路を制御して前記光源を点灯させる機能である。前記入力器は、ユーザからの指示を受け付けるように構成される。前記制御回路は、第１機能を有効にし第２機能を無効にする第１モードと、前記第１機能を無効にし前記第２機能を有効にする第２モードと、を有する。前記第１機能は、第２イベントの発生に応答して前記給電回路を制御して前記所定の条件を満たさない電力を前記連動端子部から出力する通知処理を行う機能である。前記第２機能は、前記連動端子部に入力された電力が前記所定の条件を満たしていないと前記判定回路が判断すると前記連動機能を無効にする無効化処理を行う機能である。前記制御回路は、前記入力器で受け付けた前記指示に応じて、前記第１モードと前記第２モードとの一方で動作するように構成される。
【０００８】
本発明に係る別の態様の点灯制御装置は、電源端子部と、点灯回路と、連動端子部と、給電回路と、判定回路と、制御回路と、を備える。前記点灯回路は、光源に電気的に接続され、前記電源端子部に入力される電力に基づいて前記光源を点灯させるように構成される。前記給電回路は、前記電源端子部に入力される電力に基づいて前記連動端子部から電力を出力するように構成される。前記判定回路は、前記連動端子部に入力される電力に基づく判定を行うように構成される。前記制御回路は、点灯機能及び連動機能を有する。前記点灯機能は、第１イベントの発生に応答して前記点灯回路を制御して前記光源を点灯させ、かつ、前記給電回路を制御して所定の条件を満たす電力を前記連動端子部から出力させる点灯処理を行う機能である。前記連動機能は、前記連動端子部に入力される電力が前記所定の条件を満たしていると前記判定回路が判断すると前記点灯回路を制御して前記光源を点灯させる機能である。前記制御回路は、さらに、第１機能及び第２機能を有する。前記第１機能は、第２イベントの発生に応答して前記給電回路を制御して前記所定の条件を満たさない電力を前記連動端子部から出力する通知処理を行う機能である。前記第２機能は、前記連動端子部に入力された電力が前記所定の条件を満たしていないと前記判定回路が判断すると前記連動機能を無効にする無効化処理を行う機能である。
【０００９】
本発明に係る別の態様の点灯制御方法は、第１及び第２点灯制御装置を備える点灯制御システムにより実行される点灯制御方法である。前記第１及び第２点灯制御装置は、それぞれ、電源端子部と、点灯回路と、連動端子部と、給電回路と、判定回路と、制御回路と、を備える。前記点灯回路は、光源に電気的に接続され、前記電源端子部に入力される電力に基づいて前記光源を点灯させるように構成される。前記給電回路は、前記電源端子部に入力される電力に基づいて前記連動端子部から電力を出力するように構成される。前記判定回路は、前記連動端子部に入力される電力に基づく判定を行うように構成される。前記制御回路は、点灯機能及び連動機能を有する。前記点灯機能は、第１イベントの発生に応答して前記点灯回路を制御して前記光源を点灯させ、かつ、前記給電回路を制御して所定の条件を満たす電力を前記連動端子部から出力させる点灯処理を行う機能である。前記連動機能は、前記連動端子部に入力される電力が前記所定の条件を満たしていると前記判定回路が判断すると前記点灯回路を制御して前記光源を点灯させる機能である。前記制御回路は、第１機能及び第２機能を有する。前記第１及び第２点灯制御装置は、それぞれの連動端子部同士で電気的に接続される。前記点灯制御方法は、前記第１点灯制御装置の制御回路により前記第１点灯制御装置の給電回路を制御して、前記所定の条件を満たさない電力を前記第１点灯制御装置の連動端子部から出力することを含む。前記点灯制御方法は、さらに、前記第２点灯制御装置の判定回路により、前記第２点灯制御装置の連動端子部に入力された電力が前記所定の条件を満たしているか否かを判定することを含む。前記点灯制御方法は、さらに、前記第２点灯制御装置の連動端子部に入力された電力が前記所定の条件を満たしていない場合に、前記第２点灯制御装置の制御回路により前記連動機能を無効にすることを含む。
【発明の効果】
【００１０】
本発明の点灯制御システム、点灯制御装置及び点灯制御方法によれば、点灯制御装置間の連動動作の設定の変更を当該点灯制御装置間の配線を変更せずに行えるという効果を奏する。
【図面の簡単な説明】
【００１１】
【図１】図１Ａは、実施形態１の点灯制御システムの構成図である。図１Ｂは、上記点灯制御システムの第１及び第２点灯制御装置のブロック図である。図１Ｃは、上記点灯制御システムの点灯装置のブロック図である。
【図２】図２は、上記点灯制御システムに用いられる照明器具の斜視図である。
【図３】図３は、上記点灯制御システムの動作説明図である。
【図４】図４Ａは、実施形態２の点灯制御システムの構成図である。図４Ｂは、上記点灯制御システムの第１及び第２点灯制御装置のブロック図である。
【図５】図５は、上記点灯制御システムの動作説明図である。
【発明を実施するための形態】
【００１２】
１．実施形態
１．１  実施形態１
１．１．１  構成
図１Ａは、実施形態１の点灯制御システムを示す。本実施形態の点灯制御システムは、２つの点灯制御装置１０（第１点灯制御装置１０Ａ及び第２点灯制御装置１０Ｂ）と、２つの連動点灯装置２０（２０１，２０２）と、を備える。２つの点灯制御装置１０のそれぞれは、光源３０及びセンサ４０に接続され、２つの連動点灯装置２０のそれぞれは、光源３０に接続される。本実施形態の点灯制御システムにおいて、点灯制御装置１０は、親機として機能し、連動点灯装置２０は親機により制御される子機として機能する。光源３０は、図１Ｂ及び図１Ｃに示すように、１以上のＬＥＤを備える。センサ４０は、所定エリア（例えば、対応する点灯制御装置１０の周囲のエリア）内の人を検知すると検知信号を出力する人感センサである。したがって、人の存否によって点灯制御システムを動作させることができる。
【００１３】
また、本実施形態の点灯制御システムでは、第２点灯制御装置１０Ｂが電源５０に電気的に接続されている。電源５０は、所定の実効値及び周波数の交流電圧を出力する交流電源である。例えば、電源５０が商用交流電源である場合、実効値は１００Ｖ（又は２００Ｖ）、周波数は６０Ｈｚ（又は５０Ｈｚ）である。また、第２点灯制御装置１０Ｂと電源５０との間には、スイッチ６０が配置されている。
【００１４】
連動点灯装置２０は、図１Ｃに示すように、接続端子部２１０と、駆動回路２２０と、送り端子部２３０と、を備える。
【００１５】
接続端子部２１０は、点灯制御装置１０から電力を受け取るための端子である。接続端子部２１０は、一対の接続端子（第１及び第２接続端子）２１１，２１２を備える。例えば、第１接続端子２１１は、電圧線用の端子であり、第２接続端子２１２は、中性線用の端子である。
【００１６】
駆動回路２２０は、接続端子部２１０に電気的に接続されている。また、駆動回路２２０は、光源３０に電気的に接続される。駆動回路２２０は、接続端子部２１０に入力された電力が所定の条件を満たしている場合に光源３０を点灯させるように構成される。所定の条件は、電力が、所定の実効値及び周波数の交流電圧が所定時間印加されて得られる値以上となることである。また、駆動回路２２０は、接続端子部２１０に入力された電力が所定の条件を満たさなくなると光源３０を消灯させるように構成される。駆動回路２２０は、例えば、接続端子部２１０の一対の接続端子２１１，２１２間の電圧（送り端子部２３０の一対の送り端子２３１，２３２間の電圧に等しい）に基づいて光源３０に所定の大きさの定電流を供給して光源３０を点灯させる。このような駆動回路２２０は、例えばスイッチング電源により実現される。具体的には、駆動回路２２０は、一対の接続端子２１１，２１２間の電圧を整流する整流回路、整流回路の出力を昇圧する昇圧チョッパ回路、昇圧チョッパ回路の出力を降圧する降圧チョッパ回路等を備える。そして、駆動回路２２０では、回路定数を調整することによって、一対の接続端子２１１，２１２間に所定の実効値及び周波数の交流電圧が所定の時間以上印加されると動作を開始して、光源３０を点灯させるように構成される。駆動回路２２０は、一対の接続端子２１１，２１２間に電圧が印加されなくなると、動作を終了し、これによって、光源３０が消灯する。
【００１７】
送り端子部２３０は、接続端子部２１０に電気的に接続されている。送り端子部２３０は、接続端子部２１０と同じ役割を有している。送り端子部２３０は、一対の送り端子（第１及び第２送り端子）２３１，２３２を備える。例えば、第１送り端子２３１は、電圧線用の端子であり、第１接続端子２１１に電気的に接続されている。第２送り端子２３２は、中性線用の端子であり、第２接続端子２１２に電気的に接続されている。
【００１８】
点灯制御装置１０は、図１Ｂに示すように、電源端子部１１０と、点灯回路１２０と、連動端子部１３０と、給電回路１４０と、判定回路１５０と、制御回路１６０と、送り端子部１７０と、入力器１８０と、を備える。また、点灯制御装置１０は、図２に示すように、筐体１９０を備える。電源端子部１１０と、点灯回路１２０と、連動端子部１３０と、給電回路１４０と、判定回路１５０と、制御回路１６０と、送り端子部１７０と、入力器１８０とは、筐体１９０に収容される。点灯制御装置１０は、図２に示すように、光源３０及びセンサ４０を備える照明器具７０に電気的に接続される。照明器具７０は、例えば、天井に埋め込まれた状態で設置されるダウンライトである。
【００１９】
電源端子部１１０は、電源５０から電力を受け取るために用いられる。電源端子部１１０は、一対の電源端子（第１及び第２電源端子）１１１，１１２を備える。例えば、第１電源端子１１１は、電圧線用の端子であり、第２電源端子１１２は、中性線用の端子である。
【００２０】
点灯回路１２０は、電源端子部１１０に電気的に接続されている。また、点灯回路１２０は、光源３０に電気的に接続される。点灯回路１２０は、電源端子部１１０に入力される電力に基づいて光源３０を点灯させるように構成される。例えば、点灯回路１２０は、一対の電源端子１１１，１１２間の電圧に基づいて光源３０に所定の大きさの定電流を供給して光源３０を点灯させる。このような点灯回路１２０は、例えばスイッチング電源により実現される。具体的には、点灯回路１２０は、一対の電源端子１１１，１１２間の電圧を整流する整流回路、整流回路の出力を昇圧する昇圧チョッパ回路、昇圧チョッパ回路の出力を降圧する降圧チョッパ回路等を備える。
【００２１】
連動端子部１３０は、点灯制御装置１０に当該点灯制御装置と連動動作させる装置（別の点灯制御装置１０又は連動点灯装置２０）を接続するために用いられる。連動端子部１３０は、一対の連動端子（第１及び第２連動端子）１３１，１３２を備える。例えば、第１連動端子１３１は、電圧線用の端子であり、第１電源端子１１１に給電回路１４０を介して接続されている。第２連動端子１３２は、中性線用の端子であり、第２電源端子１１２に電気的に接続されている。
【００２２】
給電回路１４０は、電源端子部１１０に入力される電力に基づいて連動端子部１３０から電力を出力するための回路である。給電回路１４０は、例えば、トライアックであり、第１電源端子１１１と第１連動端子１３１との間に電気的に接続されている。したがって、給電回路１４０がオン（トライアックがオン）である間は、電源端子部１１０の第１電源端子１１１及び第２電源端子１１２が、連動端子部１３０の第１連動端子１３１及び第２連動端子１３２にそれぞれ電気的に接続される。この場合、電源端子部１１０の第１及び第２電源端子１１１，１１２間に印加された電圧が、連動端子部１３０の第１及び第２連動端子１３１，１３２間に印加される。つまり、給電回路１４０は、電源端子部１１０に入力される電力を連動端子部１３０から出力させる。一方、給電回路１４０がオフ（トライアックがオフ）である間は、第１連動端子１３１が第１電源端子１１１から電気的に分離される。したがって、電源端子部１１０の第１及び第２電源端子１１１，１１２間に電圧が印加されていても、この電圧は、連動端子部１３０の第１及び第２連動端子１３１，１３２間に印加されない。
【００２３】
判定回路１５０は、連動端子部１３０に入力される電力に基づく判定を行う回路である。判定回路１５０は、連動端子部１３０に電力が入力されると、連動端子部１３０に入力された電力が所定の条件を満たしているかどうかを判定するように構成される。所定の条件は、上述したように、電力が所定の実効値及び周波数の交流電圧が所定時間印加されて得られる値以上となることである。例えば、判定回路１５０は、連動端子部１３０の第１及び第２連動端子１３１，１３２間の電圧により充電されるコンデンサと、コンデンサの両端間の電圧を所定の閾値と比較する比較回路と、を備える。比較回路は、コンデンサの両端間の電圧が所定の閾値以上である際にハイレベルの出力信号を出力し、コンデンサの両端間の電圧が所定の閾値未満である際にロウレベルの出力信号を出力する。なお、判定回路１５０は、連動端子部１３０に電力が入力されていない場合、連動端子部１３０に入力された電力が所定の条件を満たしているかどうかの判定を行わない。
【００２４】
送り端子部１７０は、電源端子部１１０に電気的に接続されている。送り端子部１７０は、電源端子部１１０と同じ役割を有している。送り端子部１７０は、一対の送り端子（第１及び第２送り端子）１７１，１７２を備える。例えば、第１送り端子１７１は、電圧線用の端子であり、第１電源端子１１１に電気的に接続されている。第２送り端子１７２は、中性線用の端子であり、第２電源端子１１２に電気的に接続されている。
【００２５】
入力器１８０は、ユーザからの指示を受け付けるための装置である。ユーザは、例えば、点灯制御システムの施工者や管理者その他の人物である。入力器１８０は、ユーザの操作に応じて、第１指示信号と第２指示信号とのいずれか一方を制御回路１６０に出力する。入力器１８０は、例えば、ディップスイッチや、セレクタである。
【００２６】
制御回路１６０は、点灯回路１２０及び給電回路１４０を制御するように構成される。制御回路１６０は、電源端子部１１０に入力される電源５０の電力により動作するように構成される。つまり、制御回路１６０は、電源端子部１１０に電源５０からの電力が入力されると動作を開始し、電源端子部１１０に電源５０からの電力が入力されなくなると動作を終了する。
【００２７】
制御回路１６０は、点灯機能と、連動機能と、を有する。点灯機能は、点灯制御装置１０に接続された光源３０を点灯させるとともに、点灯制御装置１０の連動端子部１３０に電気的に接続された装置を当該点灯制御装置１０と連動動作させるための機能である。点灯機能では、制御回路１６０は、第１イベントの発生に応答して点灯回路１２０を制御して光源３０を点灯させ、かつ、給電回路１４０を制御して連動端子部１３０から所定の条件を満たす電力を出力させる点灯処理を行う。第１イベントは、センサ４０で所定の状態を検出したことである。所定の状態は、所定エリア内に人が存在することである。換言すれば、第１イベントは、制御回路１６０がセンサ４０から検知信号を受け取ったことである。また、点灯処理では、制御回路１６０は、連動端子部１３０から出力される電力が所定の条件を満たすように、所定の点灯時間Ｐ２（図３参照）だけ給電回路１４０をオンにする。点灯時間Ｐ２は所定時間以上に設定される。言い換えれば、点灯機能は、点灯処理を所定の点灯時間Ｐ２だけ継続する。点灯機能において、制御回路１６０は、光源３０を点灯時間Ｐ２だけ点灯させる。連動機能は、点灯制御装置１０の連動端子部１３０に電気的に接続された別の点灯制御装置１０と連動動作するための機能である。連動機能では、制御回路１６０は、連動端子部１３０に入力される電力が所定の条件を満たしていると判定回路１５０が判断すると点灯回路１２０を制御して光源３０を点灯させる。連動機能において、制御回路１６０は、光源３０を点灯時間Ｐ２だけ点灯させる。
【００２８】
さらに、制御回路１６０は、第１機能と、第２機能と、を有する。
【００２９】
第１機能は、第２イベントの発生に応答して給電回路１４０を制御して連動端子部１３０から所定の条件を満たさない電力を出力する通知処理を行う機能である。第２イベントは、電源端子部１１０に入力される電力により制御回路１６０が動作を開始したことである。したがって、電源端子部１１０に電力を入力して制御回路１６０の動作を開始させる簡単な処理で、第１機能による通知処理を制御回路１６０に行わせることができる。通知処理では、制御回路１６０は、連動端子部１３０から出力される電力が所定の条件を満たさないように、所定時間より短い時間Ｐ１（図３参照）だけ給電回路１４０をオンにする。例えば、制御回路１６０は、時間Ｐ１だけ給電回路１４０をオンにする処理を、所定の間隔を空けて複数回（本実施形態では２回）行う。なお、所定の間隔は、時間Ｐ１だけ給電回路１４０をオンにする処理を複数回行っても、連動端子部１３０から出力される電力が所定の条件を満たさないように設定される。上述したように、連動点灯装置２０の駆動回路２２０は、接続端子部２１０に入力された電力が所定の条件を満たしている場合に光源３０を点灯させる。したがって、第１機能による通知処理時に連動点灯装置２０が光源３０を点灯させてしまう可能性を低減できる。
【００３０】
第２機能は、連動端子部１３０に入力された電力が所定の条件を満たしていないと判定回路１５０が判断すると連動機能を無効にする無効化処理を含む。また、制御回路１６０は、動作を開始してから規定時間の間、第２機能を有効にし、規定時間の経過後、第２機能を無効にするように構成される。したがって、第１点灯制御御置１０Ａの制御回路１６０が通知処理を行う可能性がある時間だけ第２機能が有効になるから、ノイズなどによって意図せずに第２機能により連動機能が無効になってしまう可能性を低減できる。ここで、規定時間は、例えば、制御回路１６０が通知処理を完了するのに要する時間以上に設定される。このようにすれば、第１点灯処理装置１０Ａの制御回路１６０が通知処理を行う前に、第２点灯制御装置１０Ｂの制御回路１６０が第２機能を無効にしてしまう可能性を低減できる。
【００３１】
また、制御回路１６０は、第１機能を有効にし第２機能を無効にする第１モードと、前記第１機能を無効にし前記第２機能を有効にする第２モードと、を有する。制御回路１６０は、入力器１８０で受け付けた指示に応じて、第１モードと第２モードとの一方で動作するように構成される。より詳細には、制御回路１６０は、入力器１８０から第１指示信号を受け取ると、第１モードで動作し、入力器１８０から第２指示信号を受け取ると、第２モードで動作するように構成される。したがって、第１モードと第２モードとを切り替えることによって、点灯制御装置１０間の連動動作の設定を変更できる。
【００３２】
このような制御回路１６０は、例えば、メモリ及びプロセッサを備えるマイクロコンピュータにより実現される。つまり、マイクロコンピュータのプロセッサがメモリに格納されたプログラムを実行することにより、上記の機能（点灯機能、連動機能、第１機能、第２機能等）を実現する。なお、制御回路１６０は、動作を開始する際に、点灯機能、連動機能、第１機能及び第２機能を有効にする。
【００３３】
本実施形態の点灯制御システムでは、第１点灯制御装置１０Ａ及び第１点灯制御装置１０Ａに接続された光源３０及びセンサ４０は屋外に設置されている。第２点灯制御装置１０Ｂ及び第２点灯制御装置１０Ｂに接続された光源３０及びセンサ４０は屋内に設置されている。また、連動点灯装置２０１，２０２及び連動点灯装置２０１，２０２にそれぞれ接続された光源３０も屋内に設置されている。
【００３４】
第１点灯制御装置１０Ａの制御回路１６０は、第１モードに設定され、第２点灯制御装置１０Ｂの制御回路１６０は、第２モードに設定されている。また、図１Ａに示すように、第１点灯制御装置１０Ａの第１及び第２電源端子１１１，１１２は、第２点灯制御装置１０Ｂの第１及び第２送り端子１７１，１７２にそれぞれ電源線により電気的に接続されている。第２点灯制御装置１０Ｂの第１及び第２電源端子１１１，１１２は、スイッチ６０を介して電源５０に電源線により電気的に接続されている。連動点灯装置２０１の第１及び第２接続端子２１１，２１２は、第１点灯制御装置１０Ａの第１及び第２連動端子１３１，１３２にそれぞれ電源線により電気的に接続されている。連動点灯装置２０１の第１及び第２送り端子２３１，２３２は、連動点灯装置２０２の第１及び第２送り端子２３１，２３２にそれぞれ電源線により電気的に接続されている。連動点灯装置２０２の第１及び第２接続端子２１１，２１２は、第２点灯制御装置１０Ｂの第１及び第２連動端子１３１，１３２にそれぞれ電源線により電気的に接続されている。このように、第１点灯制御装置１０Ａの連動端子部１３０は、連動点灯装置２０１及び連動点灯装置２０２を介して、第２点灯制御装置１０Ｂの連動端子部１３０に電気的に接続されている。
【００３５】
１．１．２  動作
以下、本実施形態の点灯制御システムの動作について、図３を参照して簡単に説明する。
【００３６】
時刻ｔ１１において、スイッチ６０がオフからオンにされると、電源５０の電圧が、第２点灯制御装置１０Ｂの電源端子１１１，１１２間に印加される。さらに、電源５０の電圧は、第２点灯制御装置１０Ｂの送り端子部１７０を介して、第１点灯制御装置１０Ａの電源端子１１１，１１２間に印加される。これによって、第１及び第２点灯制御装置１０Ａ，１０Ｂの制御回路１６０が動作を開始する。第１点灯制御装置１０Ａの制御回路１６０は、第１モードであるから、第１機能により、時間Ｐ１だけ給電回路１４０をオンにする処理を、所定の間隔を空けて２回行う。第１点灯制御装置１０Ａの連動端子部１３０は、連動点灯装置２０１及び連動点灯装置２０２を介して、第２点灯制御装置１０Ｂの連動端子部１３０に電気的に接続されている。そのため、第２点灯制御装置１０Ｂの連動端子部１３０は、第１点灯制御装置１０Ａの連動端子部１３０から出力される電力を受け取る。ここで、第１機能では、連動端子部１３０から出力される電力が所定の条件を満たさないように給電回路１４０が制御される。したがって、第２点灯制御装置１０Ｂの判定回路１５０は、連動端子部１３０に入力された電力が所定の条件を満たしていないと判断し、第２点灯制御装置１０Ｂの制御回路１６０は、連動機能を無効にする。また、連動点灯装置２０１，２０２では、接続端子部２１０に入力された電力が所定の条件を満たさないため、駆動回路２２０は光源３０を点灯させない。
【００３７】
時刻ｔ１２において、第１点灯制御装置１０Ａのセンサ４０から検知信号が出力されると、第１点灯制御装置１０Ａの制御回路１６０が、点灯機能を実行し、光源３０を点灯させる。また、第１点灯制御装置１０Ａの制御回路１６０が、連動端子部１３０から出力される電力が所定の条件を満たすように、所定時間以上の点灯時間Ｐ２だけ給電回路１４０をオンにする。これにより、第２点灯制御装置１０Ｂの連動端子部１３０は、第１点灯制御装置１０Ａの連動端子部１３０から出力される電力を受け取る。第２点灯制御装置１０Ｂでは、連動機能が無効になっているから、第１点灯制御装置１０Ａの連動端子部１３０から出力される電力が所定の条件を満たしていても、第２点灯制御装置１０Ｂの制御回路１６０は、連動機能を実行せず、光源３０を点灯させない。一方、連動点灯装置２０１，２０２では、接続端子部２１０に入力された電力が所定の条件を満たした時点（時刻ｔ１３）で、駆動回路２２０が光源３０を点灯させる。時刻ｔ１２から点灯時間Ｐ２が経過した時刻ｔ１４において、第１点灯制御装置１０Ａの制御回路１６０は、光源３０を消灯し、さらに、給電回路１４０をオフにする。これにより、連動点灯装置２０１，２０２では、接続端子部２１０に電力が供給されなくなるから、駆動回路２２０が動作を終了し、光源３０が消灯する。
【００３８】
時刻ｔ１５において、第２点灯制御装置１０Ｂのセンサ４０から検知信号が出力されると、第２点灯制御装置１０Ｂの制御回路１６０が、点灯機能を実行し、光源３０を点灯させる。また、第２点灯制御装置１０Ｂの制御回路１６０が、連動端子部１３０から出力される電力が所定の条件を満たすように、所定時間以上の点灯時間Ｐ２だけ給電回路１４０をオンにする。これにより、第１点灯制御装置１０Ａの連動端子部１３０は、第２点灯制御装置１０Ｂの連動端子部１３０から出力される電力を受け取る。ここで、第１点灯制御装置１０Ａでは、連動機能が有効であるから、連動端子部１３０に入力された電力が所定の条件を満たした時点（時刻ｔ１６）で、制御回路１６０が光源３０を点灯させる。同様に、連動点灯装置２０１，２０２では、接続端子部２１０に入力された電力が所定の条件を満たした時点（時刻ｔ１６）で、駆動回路２２０が光源３０を点灯させる。時刻ｔ１５から点灯時間Ｐ２が経過した時刻ｔ１７において、第２点灯制御装置１０Ｂの制御回路１６０は、光源３０を消灯し、さらに、給電回路１４０をオフにする。これにより、連動点灯装置２０１，２０２では、接続端子部２１０に電力が供給されなくなるから、駆動回路２２０が動作を終了し、光源３０が消灯する。また、時刻ｔ１６から点灯時間Ｐ２が経過した時刻ｔ１８において、第１点灯制御装置１０Ａの制御回路１６０は、光源３０を消灯する。
【００３９】
特に、本実施形態では、第１点灯制御装置１０Ａは屋外に設置され、第２点灯制御装置１０Ｂが屋内に設置されている。そして、屋内の第２点灯制御装置１０Ｂが屋外の第１点灯制御装置１０Ａに連動しない。そのため、第１点灯制御装置１０Ａに接続されたセンサ４０で屋外の人が検知された際に、屋内の第２点灯制御装置１０Ｂがこれに接続された光源３０を点灯させてしまうことを抑制できる。したがって、点灯制御装置１０による不必要な光源３０の点灯を抑制できる。
【００４０】
１．１．３  まとめ
本実施形態の点灯制御システムでは、第１及び第２点灯制御装置１０Ａ，１０Ｂは、それぞれの連動端子部１３０同士で電気的に接続される。第１点灯制御装置１０Ａの制御回路１６０は、第２イベントの発生に応答して第１点灯制御装置１０Ａの給電回路１４０を制御して第１点灯制御装置１０Ａの連動端子部１３０から所定の条件を満たさない電力を出力する通知処理を行う第１機能を有する。第２点灯制御装置１０Ｂの制御回路１６０は、第２点灯制御装置１０Ｂの連動端子部１３０に入力された電力が所定の条件を満たしていないと判定回路１５０が判断すると連動機能を無効にする第２機能を有する。第２イベントが発生していなければ、点灯機能により第１点灯制御装置１０Ａに接続された光源３０が点灯した際に、第２点灯制御装置１０Ｂが連動機能により第１点灯制御装置１０Ａと連動動作して第２点灯制御装置１０Ｂに接続された光源３０を点灯させる。同様に、点灯機能により第２点灯制御装置１０Ｂに接続された光源３０が点灯すると、第１点灯制御装置１０Ａが連動機能により第２点灯制御装置１０Ｂと連動動作して第１点灯制御装置１０Ａに接続された光源３０を点灯させる。一方、第２イベントが発生すると、第２点灯制御装置１０Ｂでは連動機能が無効になる。そのため、点灯機能により第１点灯制御装置１０Ａに接続された光源３０が点灯しても、第２点灯制御装置１０Ｂは、第１点灯制御装置１０Ａと連動動作せず、第２点灯制御装置１０Ｂに接続された光源３０を点灯させない。逆に、点灯機能により第２点灯制御装置１０Ｂに接続された光源３０が点灯した際には、第１点灯制御装置１０Ａが連動機能により第２点灯制御装置１０Ｂと連動動作して第１点灯制御装置１０Ａに接続された光源３０を点灯させる。ここで、第１機能では、第１点灯制御装置１０Ａは、連動端子部１３０から所定の条件を満たさない電力を出力する。第２機能では、第２点灯制御装置１０Ｂは、連動端子部１３０に入力された電力が所定の条件を満たしていない場合に連動機能を無効にする。したがって、本実施形態の点灯制御システムによれば、点灯制御装置１０Ａ，１０Ｂ間の連動動作の設定の変更を当該点灯制御装置１０Ａ，１０Ｂ間の配線を変更せずに行える。副次的に、点灯制御装置１０Ａ，１０Ｂ間の連動動作の設定の変更を既存の構成（連動端子部１３０）を利用して実現できる。
【００４１】
言い換えれば、本実施形態の点灯制御システムは、次のような点灯制御方法を実行する。当該点灯制御方法は、第１点灯制御装置１０Ａの制御回路１６０により第１点灯制御装置１０Ａの給電回路１４０を制御して、第１点灯制御装置１０Ａの連動端子部１３０から所定の条件を満たさない電力を出力することを含む。また、当該点灯制御方法は、第２点灯制御装置１０Ｂの判定回路１５０により、第２点灯制御装置１０Ｂの連動端子部１３０に入力された電力が所定の条件を満たしているか否かを判定することを含む。さらに、当該点灯制御方法は、第２点灯制御装置１０Ｂの連動端子部１３０に入力された電力が所定の条件を満たしていない場合に、第２点灯制御装置１０Ｂの制御回路１６０により連動機能を無効にすることを含む。当該点灯制御方法によっても、点灯制御装置１０Ａ，１０Ｂ間の連動動作の設定の変更を当該点灯制御装置１０Ａ，１０Ｂ間の配線を変更せずに行える。副次的に、点灯制御装置１０Ａ，１０Ｂ間の連動動作の設定の変更を既存の構成（連動端子部１３０）を利用して実現できる。
【００４２】
また、本実施形態の点灯制御装置１０では、制御回路１６０は、第１機能を有効にし第２機能を無効にする第１モードと、第１機能を無効にし第２機能を有効にする第２モードと、を有する。第１機能は、第２イベントの発生に応答して給電回路１４０を制御して連動端子部１３０から所定の条件を満たさない電力を出力する通知処理を行う機能である。第２機能は、連動端子部１３０に入力された電力が所定の条件を満たしていないと判定回路１５０が判断すると連動機能を無効にする無効化処理を行う機能である。制御回路１６０は、入力器１８０で受け付けた指示に応じて、第１モードと第２モードとの一方で動作するように構成される。そのため、一方の点灯制御装置１０に対して他方の点灯制御装置１０を連動させたくない場合、一方の点灯制御装置１０の制御回路１６０を第１モードに設定し、他方の点灯制御装置１０の制御回路１６０を第２モードに設定すればよい。したがって、点灯制御装置１０によれば、点灯制御装置１０間の連動動作の設定の変更を当該点灯制御装置１０間の配線を変更せずに行える。副次的に、点灯制御装置１０間の連動動作の設定の変更を既存の構成（連動端子部１３０）を利用して実現できる。さらに、第１モードと第２モードとを切り替えることによって、点灯制御装置１０間の連動の設定を変更できる。また、両方の点灯制御装置１０で第２イベントが発生しても、第１モードに設定された制御回路１６０だけが通知処理を行う。そのため、複数の点灯制御装置１０において第２イベントを個別に発生可能とする必要がない。
【００４３】
１．２  実施形態２
１．２．１  構成
図４Ａは、実施形態２の点灯制御システムを示す。本実施形態の点灯制御システムは、２つの点灯制御装置１１（第１点灯制御装置１１Ａ及び第２点灯制御装置１１Ｂ）と、２つの連動点灯装置２０（２０１，２０２）と、を備える。２つの点灯制御装置１１のそれぞれは、光源３０及びセンサ４０に接続され、２つの連動点灯装置２０のそれぞれは、光源３０に接続される。本実施形態の点灯制御システムにおいて、点灯制御装置１１は、親機として機能し、連動点灯装置２０は親機により制御される子機として機能する。
【００４４】
点灯制御装置１１は、図４Ｂに示すように、電源端子部１１０と、点灯回路１２０と、連動端子部１３０と、給電回路１４０と、判定回路１５０と、制御回路１６１と、送り端子部１７０と、を備える。また、点灯制御装置１１は、実施形態１の点灯制御装置１０と同様に、電源端子部１１０と、点灯回路１２０と、連動端子部１３０と、給電回路１４０と、判定回路１５０と、制御回路１６１と、送り端子部１７０と、を収容する筐体１９０（図２参照）を備える。点灯制御装置１１は、実施形態１の点灯制御装置１０と同様に、光源３０及びセンサ４０を備える照明器具７０（図２参照）に電気的に接続される。
【００４５】
点灯制御装置１１の電源端子部１１０、点灯回路１２０、連動端子部１３０、給電回路１４０、判定回路１５０、及び送り端子部１７０は、実施形態１と同様である。
【００４６】
制御回路１６１は、点灯回路１２０及び給電回路１４０を制御するように構成される。制御回路１６１は、電源端子部１１０に入力される電源５０の電力により動作するように構成される。制御回路１６１は、電源端子部１１０に電源５０からの電力が入力されると動作を開始し、電源端子部１１０に電源５０からの電力が入力されなくなると動作を終了する。ここで、制御回路１６１は、電源端子部１１０に電源５０からの電力が入力されなくなると直ちに動作を終了するわけではなく、電源端子部１１０に電源５０からの電力が入力されなくなっても所定の猶予期間は動作を継続できるように構成されている。例えば、コンデンサなどの容量素子を用いて電源５０からの電力をある程度蓄えておくことで、このような構成を実現できる。
【００４７】
制御回路１６１は、制御回路１６０と同じ点灯機能及び連動機能を有する。
【００４８】
さらに、制御回路１６１は、第１機能と、第２機能と、を有する。制御回路１６１の第１機能は、通知処理と、連続点灯処理と、終了処理と、を含む。通知処理は、第２イベントの発生に応答して給電回路１４０を制御して連動端子部１３０から所定の条件を満たさない電力を出力する処理である。第２イベントは、電源端子部１１０に入力される電力が所定のパターンで変化したことである。所定のパターンは、電源端子部１１０に入力される電力が所定の時間範囲内の期間だけ０になることである。時間範囲の上限は、制御回路１６１の猶予期間より短く設定される。また、本実施形態において電源端子部１１０に入力される電力は、電源５０からの交流電力である。そのため、時間範囲の下限は、電源５０により電源端子部１１０の第１及び第２電源端子１１１，１１２間に印加される交流電圧が０になる期間より長く設定される。つまり、電源５０から点灯制御装置１１への電力の供給を時間範囲内で一時的に停止することで、第１機能による通知処理を制御回路１６１に実行させることができる。さらに、通知処理では、制御回路１６１は、制御回路１６０と同様に、連動端子部１３０から出力される電力が所定の条件を満たさないように、所定時間より短い時間Ｐ１（図５参照）だけ給電回路１４０をオンにする。連続点灯処理は、通知処理の後、第３イベントが発生するまでは、点灯回路１２０を制御して光源３０を点灯させ続け、かつ、給電回路１４０を制御して連動端子部１３０からの所定の条件を満たす電力を出力させ続ける処理である。本実施形態では、第３イベントは、第２イベントと同じである。つまり、電源端子部１１０に入力される電力が所定のパターンで変化したことである。当然ながら、第１機能では、連続点灯処理の実行中は、通知処理を行わないようになっている。第２機能は、連動端子部１３０に入力された電力が所定の条件を満たしていないと判定回路１５０が判断すると連動機能を無効にする無効化処理を含む。さらに、第２機能は、無効化処理の後、連動端子部１３０に入力された電力が所定の条件を満たしている状態から所定の条件を満たしていない状態となると、連動機能を有効にする有効化処理を含む。つまり、有効化処理は、無効化処理の後、連動端子部１３０に入力された電力が所定の条件を満たさなくなると、連動機能を有効にする処理である。
【００４９】
このような制御回路１６１は、例えば、メモリ及びプロセッサを備えるマイクロコンピュータにより実現される。つまり、マイクロコンピュータのプロセッサがメモリに格納されたプログラムを実行することにより、上記の機能（点灯機能、連動機能、第１機能、第２機能等）を実現する。なお、制御回路１６１は、動作を開始する際に、点灯機能、連動機能、第１機能及び第２機能を有効にする。
【００５０】
本実施形態の点灯制御システムでは、第１点灯制御装置１１Ａ及び第１点灯制御装置１１Ａに接続された光源３０及びセンサ４０は屋外に設置されている。第２点灯制御装置１１Ｂ及び第２点灯制御装置１１Ｂに接続された光源３０及びセンサ４０は屋内に設置されている。また、連動点灯装置２０１，２０２及び連動点灯装置２０１，２０２にそれぞれ接続された光源３０も屋内に設置されている。
【００５１】
図４Ａに示すように、第１点灯制御装置１１Ａの第１及び第２電源端子１１１，１１２は、スイッチ（第１スイッチ）６１を介して電源５０に電源線により電気的に接続されている。第２点灯制御装置１１Ｂの第１及び第２電源端子１１１，１１２は、スイッチ（第２スイッチ）６２を介して電源５０に電源線により電気的に接続されている。連動点灯装置２０１の第１及び第２接続端子２１１，２１２は、第１点灯制御装置１１Ａの第１及び第２連動端子１３１，１３２にそれぞれ電源線により電気的に接続されている。連動点灯装置２０１の第１及び第２送り端子２３１，２３２は、連動点灯装置２０２の第１及び第２送り端子２３１，２３２にそれぞれ電源線により電気的に接続されている。連動点灯装置２０２の第１及び第２接続端子２１１，２１２は、第２点灯制御装置１１Ｂの第１及び第２連動端子１３１，１３２にそれぞれ電源線により電気的に接続されている。このように、第１点灯制御装置１１Ａの連動端子部１３０及び第２点灯制御装置１１Ｂの連動端子部１３０は、それぞれ、スイッチ６１，６２を介して電源５０に電気的に接続されている。
【００５２】
１．２．２  動作
以下、本実施形態の点灯制御システムの動作について、図５を参照して簡単に説明する。なお、初期状態（時刻ｔ２１以前）では、スイッチ６１，６２はともにオンであり、第１及び第２点灯制御装置１１Ａの制御回路１６１は動作中である。
【００５３】
スイッチ６１が時間範囲内の期間だけオフにされると（時刻ｔ２１）、第１点灯制御装置１１Ａの電源端子部１１０に入力される電力が所定の時間範囲内の期間だけ０になる。そのため、第１点灯制御装置１１Ａの制御回路１６１は、第２イベントが発生したと判断し、第１機能の通知処理により、時間Ｐ１だけ給電回路１４０をオンにする処理を、所定の間隔を空けて２回行う。第１点灯制御装置１１Ａの連動端子部１３０は、連動点灯装置２０１及び連動点灯装置２０２を介して、第２点灯制御装置１１Ｂの連動端子部１３０に電気的に接続されている。そのため、第２点灯制御装置１１Ｂの連動端子部１３０は、第１点灯制御装置１１Ａの連動端子部１３０から出力される電力を受け取る。ここで、第１機能では、連動端子部１３０から出力される電力が所定の条件を満たさないように給電回路１４０が制御される。したがって、第２点灯制御装置１１Ｂの判定回路１５０は、連動端子部１３０に入力された電力が所定の条件を満たしていないと判断し、第２点灯制御装置１１Ｂの制御回路１６１は、連動機能を無効にする。また、連動点灯装置２０１，２０２では、接続端子部２１０に入力された電力が所定の条件を満たさないため、駆動回路２２０は光源３０を点灯させない。
【００５４】
第１点灯制御装置１１Ａの制御回路１６１は、通知処理の後、連続点灯処理を開始する（時刻ｔ２２）。連続点灯処理では、第１点灯制御装置１１Ａの制御回路１６１は、第３イベントが発生するまでは、点灯回路１２０を制御して光源３０を点灯させ、かつ、給電回路１４０を制御して連動端子部１３０からの所定の条件を満たす電力の出力を継続する。これにより、連動点灯装置２０１，２０２では、接続端子部２１０に入力された電力が所定の条件を満たした時点（時刻ｔ２３）で、駆動回路２２０が光源３０を点灯させる。
【００５５】
この後の時刻ｔ２４において、第２点灯制御装置１１Ｂのセンサ４０から検知信号が出力されると、第２点灯制御装置１１Ｂの制御回路１６１が、点灯機能を実行し、光源３０を点灯させる。また、第２点灯制御装置１１Ｂの制御回路１６１は、連動端子部１３０から出力される電力が所定の条件を満たすように、所定時間以上の点灯時間Ｐ２だけ給電回路１４０をオンにする。ただし、第１点灯制御装置１１Ａ及び連動点灯装置２０１，２０２は既に光源３０を点灯させているから、これらの動作は変化しない。時刻ｔ２４から点灯時間Ｐ２が経過した時刻ｔ２５において、第２点灯制御装置１１Ｂの制御回路１６１は、光源３０を消灯し、さらに、給電回路１４０をオフにする。この場合でも、第１点灯制御装置１１Ａが連続点灯処理を行っているから、連動点灯装置２０１，２０２の接続端子部２１０への電力の供給はなくならない。
【００５６】
この後に、スイッチ６１が時間範囲内の期間だけオフにされると（時刻ｔ２６）、第１点灯制御装置１１Ａの電源端子部１１０に入力される電力が所定の時間範囲内の期間だけ０になる。第１点灯制御装置１１Ａの制御回路１６１は連続点灯処理中であるから、第３イベントが発生したと判断し、点灯回路１２０を制御して光源３０を消灯させ、かつ、給電回路１４０を制御して連動端子部１３０からの所定の条件を満たす電力の出力を停止する。これにより、第１点灯制御装置１１Ａの給電回路１４０がオフになる。その結果、連動点灯装置２０１，２０２では、接続端子部２１０に電力が供給されなくなるから、駆動回路２２０が動作を終了し、光源３０が消灯する。また、第２点灯制御装置１１Ｂの連動端子部１３０に入力された電力が所定の条件を満たしている状態から所定の条件を満たしていない状態となるから、第２機能の有効化処理によって、第２点灯制御装置１１Ｂの制御回路１６１が連動機能を有効にする。
【００５７】
時刻ｔ２７において、第１点灯制御装置１１Ａのセンサ４０から検知信号が出力されると、第１点灯制御装置１１Ａの制御回路１６１が、点灯機能を実行し、光源３０を点灯させる。また、第１点灯制御装置１１Ａの制御回路１６１は、連動端子部１３０から出力される電力が所定の条件を満たすように、所定時間以上の点灯時間Ｐ２だけ給電回路１４０をオンにする。これにより、第２点灯制御装置１１Ｂの連動端子部１３０は、第１点灯制御装置１１Ａの連動端子部１３０から出力される電力を受け取る。ここで、第２点灯制御装置１１Ｂでは、連動機能が有効になっているから、連動端子部１３０に入力された電力が所定の条件を満たした時点（時刻ｔ２８）で、制御回路１６１が光源３０を点灯させる。同様に、連動点灯装置２０１，２０２では、接続端子部２１０に入力された電力が所定の条件を満たした時点（時刻ｔ２８）で、駆動回路２２０が光源３０を点灯させる。時刻ｔ２７から点灯時間Ｐ２が経過した時刻ｔ２９において、第１点灯制御装置１１Ａの制御回路１６１は、光源３０を消灯し、さらに、給電回路１４０をオフにする。これにより、連動点灯装置２０１，２０２では、接続端子部２１０に電力が供給されなくなるから、駆動回路２２０が動作を終了し、光源３０が消灯する。また、時刻ｔ２８から点灯時間Ｐ２が経過した時刻ｔ３０において、第２点灯制御装置１１Ｂの制御回路１６１は、光源３０を消灯する。
【００５８】
時刻ｔ３１において、第２点灯制御装置１１Ｂのセンサ４０から検知信号が出力されると、第２点灯制御装置１１Ｂの制御回路１６１が、点灯機能を実行し、光源３０を点灯させる。また、第２点灯制御装置１１Ｂの制御回路１６１は、連動端子部１３０から出力される電力が所定の条件を満たすように、所定時間以上の点灯時間Ｐ２だけ給電回路１４０をオンにする。これにより、第１点灯制御装置１１Ａの連動端子部１３０は、第２点灯制御装置１１Ｂの連動端子部１３０から出力される電力を受け取る。ここで、第１点灯制御装置１１Ａでは、連動機能が有効であるから、連動端子部１３０に入力された電力が所定の条件を満たした時点（時刻ｔ３２）で、制御回路１６１が光源３０を点灯させる。同様に、連動点灯装置２０１，２０２では、接続端子部２１０に入力された電力が所定の条件を満たした時点（時刻ｔ３２）で、駆動回路２２０が光源３０を点灯させる。時刻ｔ３１から点灯時間Ｐ２が経過した時刻ｔ３３において、第２点灯制御装置１１Ｂの制御回路１６１は、光源３０を消灯し、さらに、給電回路１４０をオフにする。これにより、連動点灯装置２０１，２０２では、接続端子部２１０に電力が供給されなくなるから、駆動回路２２０が動作を終了し、光源３０が消灯する。また、時刻ｔ３２から点灯時間Ｐ２が経過した時刻ｔ３４において、第１点灯制御装置１１Ａの制御回路１６１は、光源３０を消灯する。
【００５９】
特に、本実施形態は、第１点灯制御装置１１Ａと第２点灯制御装置１１Ｂとの一方だけで光源３０を連続的に点灯させたい場合に有効である。例えば、スイッチ６１を操作して第２イベントを発生させることで第１点灯制御装置１１Ａが第１機能により連続点灯処理を実行し、第２点灯制御装置１０Ｂが第２機能により連動機能を無効にする。逆に、スイッチ６２を操作して第２イベントを発生させることで第２点灯制御装置１１Ｂが第１機能により連続点灯処理を実行し、第１点灯制御装置１１Ａが第２機能により連動機能を無効にする。したがって、所望の点灯制御装置１１でのみ光源３０を連続的に点灯させることができる。
【００６０】
１．２．３  まとめ
本実施形態の点灯制御システムによれば、実施形態１と同様に、点灯制御装置１１Ａ，１１Ｂ間の連動動作の設定の変更を当該点灯制御装置１１Ａ，１１Ｂ間の配線を変更せずに行える。副次的に、点灯制御装置１１Ａ，１１Ｂ間の連動動作の設定の変更を既存の構成（連動端子部１３０）を利用して実現できる。言い換えれば、本実施形態の点灯制御システムは、上記実施形態１と同様の点灯制御方法を実行する。そのため、点灯制御装置１１Ａ，１１Ｂ間の連動動作の設定の変更を当該点灯制御装置１１Ａ，１１Ｂ間の配線を変更せずに行える。副次的に、点灯制御装置１１Ａ，１１Ｂ間の連動動作の設定の変更を既存の構成（連動端子部１３０）を利用して実現できる。
【００６１】
また、本実施形態の点灯制御装置１１では、制御回路１６１は、第１機能及び第２機能を有する。第１機能は、第２イベントの発生に応答して給電回路１４０を制御して連動端子部１３０から所定の条件を満たさない電力を出力する通知機能を含む。第２機能は、連動端子部１３０に入力された電力が所定の条件を満たしていないと判定回路１５０が判断すると連動機能を無効にする無効化処理を行う機能である。したがって、複数の点灯制御装置１１のうちの所望の点灯制御装置１１でだけ第２イベントを発生させることで、当該所望の点灯制御装置１１に他の点灯制御装置１１が連動しないように複数の点灯制御装置１１間の連動の設定を変更できる。
【００６２】
２．変形例
以上説明した実施形態１，２は、本発明の様々な実施形態の一部に過ぎない。また、実施形態１，２は、本発明の目的を達成できれば、設計等に応じて種々の変更が可能である。以下に、実施形態１，２の変形例を列挙する。
【００６３】
点灯制御システムは、３以上の点灯制御装置（１０，１１）を備えていてもよい。また、点灯制御システムは、必ずしも連動点灯装置２０を備えていてなくてもよい。要するに、点灯制御システムは、複数の点灯制御装置を備えていればよい。
【００６４】
給電回路１４０は、第１及び第２電源端子１１１，１１２と第１及び第２連動端子１３１，１３２との間に電気的に接続される第１及び第２スイッチで構成されていてもよい。第１及び第２スイッチは、例えば、トライアック等の無接点スイッチに限定されず、リレー等の有接点スイッチであってもよい。また、給電回路１４０は、連動点灯装置２０に応じて、第１及び第２電源端子１１１，１１２間の電圧とは異なる電圧を第１及び第２連動端子１３１，１３２に印加できるように構成されていてもよい。
【００６５】
判定回路１５０の構成は一例であって、特に限定されない。要するに、判定回路１５０は、電力が所定の条件を満たしているかどうかを判定できれば特に構成は限定されない。
【００６６】
制御回路（１６０，１６１）の構成は一例であって、特に限定されない。制御回路（１６０，１６１）は、上述の点灯機能、連動機能、第１機能及び第２機能が実現できる回路であればよい。
【００６７】
点灯機能において、第１イベントは、例えば、外部装置から所定の信号を受け取ったことであってもよい。また、第１イベントは、予定された時間になったことであってもよい。また、点灯機能において、点灯処理は、予め定められた点灯時間Ｐ２ではなく、点灯処理の終了を指示されるまで継続されてもよい。同様に、連動機能において、制御回路（１６０，１６１）は、予め定められた点灯時間Ｐ２ではなく、光源３０の点灯の終了を指示されるまで光源３０の点灯を継続してもよい。また、点灯機能において、光源３０を点灯させる時間（期間）と、給電回路１４０をオンにする時間（期間）とは、等しくなくてもよく、異なっていてもよい。
【００６８】
第１機能において、第２イベントは、例えば、外部装置から所定の信号を受け取ったことであってもよい。また、第２イベントは、予定された時間になったことであってもよい。また、実施形態２の変形例では、第２イベントの所定のパターンは、電源端子部１１０に入力される電力が所定の時間範囲内の期間だけ０になることに限定されない。例えば、所定のパターンは、電源端子部１１０の電力が所定期間内に複数回０又は所定値を超えたことであってもよい。要するに、所定パターンは、通常時に電源５０から電源端子部１１０に入力される電力のパターンと区別可能であればよい。
【００６９】
通知処理では、制御回路（１６０、１６１）は、連動端子部１３０から出力される電力が所定の条件を満たさないように、所定時間より短い時間Ｐ１だけ給電回路１４０をオンにする。言い換えれば、制御回路（１６０，１６１）は、通知処理では、連動端子部１３０からパルスを発生させる。変形例では、制御回路（１６０，１６１）は、通知処理において、連動端子部１３０間の電圧を一定期間減少させることで、連動端子部１３０からの電力が所定の条件を満たさなくしてもよい。別の変形例では、制御回路（１６０，１６１）は、通知処理において、連動端子部１３０間の電圧の位相を変化させることで、連動端子部１３０からの電力が所定の条件を満たさなくしてもよい。要するに、通知処理では、連動端子部１３０から、所定の条件を満たさない電力が出力されればよい。
【００７０】
実施形態１の変形例において、制御回路１６０は、第１機能及び第２機能を有効にする第３モードを有していてもよいし、さらに、第１機能及び第２機能を無効にする第４モードを有していてもよい。制御回路１６０は、入力器１８０からの指示に応じて、第１〜第４モードのいずれかで動作してもよい。
【００７１】
実施形態２の変形例において、第３イベントは、第２イベントと同じでなくてもよい。第２イベントは、例えば、外部装置から所定の信号を受け取ったことであってもよい。また、第３イベントは、電源端子部１１０に入力される電力が第２イベントの所定のパターンとは異なるパターンで変化したことであってもよい。
【００７２】
変形例では、点灯制御装置（１０，１１）は、送り端子部１７０を備えていなくてもよい。
【００７３】
実施形態１の変形例では、入力器１８０は、通信機であってもよい。この場合、入力器１８０は、ユーザが操作するコントローラから、有線通信又は無線通信により信号を受信し、受信した信号に応じて第１指示信号と第２指示信号とのいずれか一方を制御回路１６０に出力してもよい。また、点灯制御装置１０は入力器１８０を備えていなくてもよい。この場合、第１点灯処理装置１０Ａは第１機能と第２機能とのうち第１機能のみを有し、第２点灯制御装置１０Ｂは第１機能と第２機能とのうち第２機能のみを有していてもよい。つまり、第１点灯制御装置１０Ａと第２点灯制御装置１０Ｂとは構成が異なっていてもよい。
【００７４】
例えば、連動点灯装置２０は、送り端子部２３０を備えていなくてもよい。複数の連動点灯装置２０は、バス配線により点灯制御装置（１０，１１）の連動端子部１３０に電気的に接続されてもよい。
【００７５】
例えば、光源３０は、１以上のＬＥＤを備える光源でなくてもよい。光源３０は、有機エレクトロルミネッセンス素子や、蛍光灯、白熱灯であってもよい。
【００７６】
例えば、センサ４０は、所定エリア（点灯制御装置の周囲のエリア）の明るさを測定する明るさセンサであってもよい。この場合、所定の状態は、所定エリアの明るさが閾値以下になったことである。この変形例によれば、所定エリアが暗くなった際に光源（３０）を点灯させることができる。
【００７７】
例えば、電源５０は、交流電源でなくてもよい。例えば、電源５０は、太陽電池、蓄電池、燃料電池等の直流電源であってもよい。
【００７８】
３．態様
上記実施形態１，２及び変形例から明らかなように、第１の態様の点灯制御システムは、第１及び第２点灯制御装置（１０Ａ，１０Ｂ；１１Ａ，１１Ｂ）を備える。前記第１及び第２点灯制御装置（１０Ａ，１０Ｂ；１１Ａ，１１Ｂ）は、それぞれ、電源端子部（１１０）と、点灯回路（１２０）と、連動端子部（１３０）と、給電回路（１４０）と、判定回路（１５０）と、制御回路（１６０；１６１）と、を備える。前記点灯回路（１２０）は、光源（３０）に電気的に接続され、前記電源端子部（１１０）に入力される電力に基づいて前記光源（３０）を点灯させるように構成される。前記給電回路（１４０）は、前記電源端子部（１１０）に入力される電力に基づいて前記連動端子部（１３０）から電力を出力するように構成される。前記判定回路（１５０）は、前記連動端子部（１３０）に入力される電力に基づく判定を行うように構成される。前記制御回路（１６０；１６１）は、点灯機能及び連動機能を有する。前記点灯機能は、第１イベントの発生に応答して前記点灯回路（１２０）を制御して前記光源（３０）を点灯させ、かつ、前記給電回路（１４０）を制御して前記連動端子部（１３０）から所定の条件を満たす電力を出力させる点灯処理を行う機能である。前記連動機能は、前記連動端子部（１３０）に入力される電力が前記所定の条件を満たしていると前記判定回路（１５０）が判断すると前記点灯回路（１２０）を制御して前記光源（３０）を点灯させる機能である。前記第１及び第２点灯制御装置（１０，１０Ａ，１０Ｂ；１１，１１Ａ，１１Ｂ）は、それぞれの連動端子部（１３０）同士で電気的に接続される。前記第１点灯制御装置（１０Ａ；１１Ａ）の制御回路（１６０；１６１）は、第１機能を有する。第１機能は、第２イベントの発生に応答して前記第１点灯制御装置（１０Ａ；１１Ａ）の給電回路（１４０）を制御して前記所定の条件を満たさない電力を前記第１点灯制御装置（１０Ａ；１１Ａ）の連動端子部（１３０）から出力する通知処理を行う。前記第２点灯制御装置（１０Ｂ；１１Ｂ）の制御回路（１６０；１６１）は、第２機能を有する。第２機能は、前記第２点灯制御装置（１０Ｂ；１１Ｂ）の連動端子部（１３０）に入力された電力が前記所定の条件を満たしていないと前記第２点灯制御装置（１０Ｂ；１１Ｂ）の判定回路（１５０）が判断すると前記連動機能を無効にする無効化処理を行う。第１の態様によれば、点灯制御装置（１０；１１）間の連動動作の設定の変更を当該点灯制御装置（１０；１１）間の配線を変更せずに行えるという効果を奏する。
【００７９】
第２の態様の点灯制御システムは、第１の態様との組み合わせにより実現され得る。第２の態様では、前記第２イベントは、前記第１点灯制御装置（１０Ａ）の電源端子部（１１０）に入力される電力により前記第１点灯制御装置（１０Ａ）の制御回路（１６０；１６１）が動作を開始したことである。第２の態様によれば、電源端子部（１１０）に電力を入力して制御回路（１６０）の動作を開始させる簡単な処理で、第１機能による通知処理を制御回路（１６０）に行わせることができる。
【００８０】
第３の態様の点灯制御システムは、第２の態様との組み合わせにより実現され得る。第３の態様では、前記第２点灯制御装置（１０Ｂ）の制御回路（１６０）は、動作を開始してから規定時間の間、前記第２機能を有効にし、前記規定時間の経過後、前記第２機能を無効にするように構成される。第３の態様によれば、ノイズなどによって意図せずに第２機能により連動機能が無効になってしまう可能性を低減できる。
【００８１】
第４の態様の点灯制御システムは、第１の態様との組み合わせにより実現され得る。第４の態様では、前記点灯機能は、前記点灯処理を所定の点灯時間継続する。前記第２イベントは、前記電源端子部（１１０）に入力される電力が所定のパターンで変化したことである。前記第１機能は、さらに、連続点灯処理を行う。前記連続点灯処理は、前記通知処理の実行後、第３イベントが発生するまでは、前記点灯回路（１２０）を制御して前記光源（３０）を点灯させ続ける。また、前記連続点灯処理は、前記通知処理の実行後、第３イベントが発生するまでは、前記給電回路（１４０）を制御して前記所定の条件を満たす電力を前記連動端子部（１３０）から出力させ続ける。前記第２機能は、さらに、前記無効化処理の後、前記連動端子部（１３０）に入力された電力が前記所定の条件を満たさなくなると、前記連動機能を有効にする有効化処理を行う。第４の態様によれば、複数の点灯制御装置（１１）のうち所望の点灯制御装置（１１）だけに光源（３０）の連続的な点灯を行わせることができる。
【００８２】
第５の態様の点灯制御システムは、第１〜第４の態様のいずれか一つとの組み合わせにより実現され得る。第５の態様は、さらに、連動点灯装置（２０，２０１，２０２）を備える。前記連動点灯装置（２０，２０１，２０２）は、接続端子部（２１０）と、駆動回路（２２０）と、を有する。前記接続端子部（２１０）は、前記第１点灯制御装置（１０Ａ；１１Ａ）の連動端子部（１３０）と前記第２点灯制御装置（１０Ｂ；１１Ｂ）の連動端子部（１３０）とに電気的に接続される。前記駆動回路（２２０）は、光源（３０）に電気的に接続され、前記接続端子部（２１０）に入力された電力が前記所定の条件を満たしている場合に前記光源（３０）を点灯させるように構成される。第５の態様によれば、第１機能による通知処理時に連動点灯装置（２０，２０１，２０２）が光源（３０）を点灯させてしまう可能性を低減できる。
【００８３】
第６の態様の点灯制御システムは、第１〜第５の態様のいずれか一つとの組み合わせにより実現され得る。第６の態様では、前記第１及び第２点灯制御装置（１０Ａ，１０Ｂ；１１Ａ，１１Ｂ）のそれぞれは、センサ（４０）に電気的に接続される。前記第１イベントは、前記センサ（４０）で所定の状態を検出したことである。第６の態様によれば、センサによって光源（３０）を点灯させることができる。
【００８４】
第７の態様の点灯制御システムは、第６の態様との組み合わせにより実現され得る。第７の態様では、前記センサ（４０）は、所定エリア内の人を検知する人感センサである。前記所定の状態は、前記所定エリア内に人が存在することである。第７の態様によれば、人の存否によって光源（３０）を点灯させることができる。
【００８５】
第８の態様の点灯制御装置（１０，１０Ａ，１０Ｂ）は、電源端子部（１１０）と、点灯回路（１２０）と、連動端子部（１３０）と、給電回路（１４０）と、判定回路（１５０）と、制御回路（１６０；１６１）と、入力器（１８０）と、を備える。前記点灯回路（１２０）は、光源（３０）に電気的に接続され、前記電源端子部（１１０）に入力される電力に基づいて前記光源（３０）を点灯させるように構成される。前記給電回路（１４０）は、前記電源端子部（１１０）に入力される電力に基づいて前記連動端子部（１３０）から電力を出力するように構成される。前記判定回路（１５０）は、前記連動端子部（１３０）に入力される電力に基づく判定を行うように構成される。前記制御回路（１６０；１６１）は、点灯機能及び連動機能を有する。前記点灯機能は、第１イベントの発生に応答して前記点灯回路（１２０）を制御して前記光源（３０）を点灯させ、かつ、前記給電回路（１４０）を制御して所定の条件を満たす電力を前記連動端子部（１３０）から出力させる点灯処理を行う機能である。前記連動機能は、前記連動端子部（１３０）に入力される電力が前記所定の条件を満たしていると前記判定回路（１５０）が判断すると前記点灯回路（１２０）を制御して前記光源（３０）を点灯させる機能である。前記入力器（１８０）は、ユーザからの指示を受け付けるように構成される。前記制御回路（１６０；１６１）は、第１機能を有効にし第２機能を無効にする第１モードと、前記第１機能を無効にし前記第２機能を有効にする第２モードと、を有する。前記第１機能は、第２イベントの発生に応答して前記給電回路（１４０）を制御して前記所定の条件を満たさない電力を前記連動端子部（１３０）から出力する通知処理を行う機能である。前記第２機能は、前記連動端子部（１３０）に入力された電力が前記所定の条件を満たしていないと前記判定回路（１５０）が判断すると前記連動機能を無効にする無効化処理を行う機能である。前記制御回路（１６０；１６１）は、前記入力器（１８０）で受け付けた前記指示に応じて、前記第１モードと前記第２モードとの一方で動作するように構成される。第７の態様によれば、点灯制御装置（１０）間の連動動作の設定の変更を当該点灯制御装置（１０）間の配線を変更せずに行えるという効果を奏する。
【００８６】
第９の態様の点灯制御装置（１１，１１Ａ，１１Ｂ）は、電源端子部（１１０）と、点灯回路（１２０）と、連動端子部（１３０）と、給電回路（１４０）と、判定回路（１５０）と、制御回路（１６０；１６１）と、を備える。前記点灯回路（１２０）は、光源（３０）に電気的に接続され、前記電源端子部（１１０）に入力される電力に基づいて前記光源（３０）を点灯させるように構成される。前記給電回路（１４０）は、前記電源端子部（１１０）に入力される電力に基づいて前記連動端子部（１３０）から電力を出力するように構成される。前記判定回路（１５０）は、前記連動端子部（１３０）に入力される電力に基づく判定を行うように構成される。前記制御回路（１６０；１６１）は、点灯機能及び連動機能を有する。前記点灯機能は、第１イベントの発生に応答して前記点灯回路（１２０）を制御して前記光源（３０）を点灯させ、かつ、前記給電回路（１４０）を制御して所定の条件を満たす電力を前記連動端子部（１３０）から出力させる点灯処理を行う機能である。前記連動機能は、前記連動端子部（１３０）に入力される電力が前記所定の条件を満たしていると前記判定回路（１５０）が判断すると前記点灯回路（１２０）を制御して前記光源（３０）を点灯させる機能である。前記制御回路（１６０；１６１）は、第１機能及び第２機能を有する。前記第１機能は、第２イベントの発生に応答して前記給電回路（１４０）を制御して前記所定の条件を満たさない電力を前記連動端子部（１３０）から出力する通知処理を行う機能である。前記第２機能は、前記連動端子部（１３０）に入力された電力が前記所定の条件を満たしていないと前記判定回路（１５０）が判断すると前記連動機能を無効にする無効化処理を行う機能である。第８の態様によれば、点灯制御装置（１１）間の連動動作の設定の変更を当該点灯制御装置（１１）間の配線を変更せずに行えるという効果を奏する。
【００８７】
第１０の態様の点灯制御方法は、第１及び第２点灯制御装置（１０Ａ，１０Ｂ；１１Ａ，１１Ｂ）を備える点灯制御システムにより実行される点灯制御方法である。前記第１及び第２点灯制御装置（１０Ａ，１０Ｂ；１１Ａ，１１Ｂ）は、それぞれ、電源端子部（１１０）と、点灯回路（１２０）と、連動端子部（１３０）と、給電回路（１４０）と、判定回路（１５０）と、制御回路（１６０；１６１）と、を備える。前記点灯回路（１２０）は、光源（３０）に電気的に接続され、前記電源端子部（１１０）に入力される電力に基づいて前記光源（３０）を点灯させるように構成される。前記給電回路（１４０）は、前記電源端子部（１１０）に入力される電力に基づいて前記連動端子部（１３０）から電力を出力するように構成される。前記判定回路（１５０）は、前記連動端子部（１３０）に入力される電力に基づく判定を行うように構成される。前記制御回路（１６０；１６１）は、点灯機能及び連動機能を有する。前記点灯機能は、第１イベントの発生に応答して前記点灯回路（１２０）を制御して前記光源（３０）を点灯させ、かつ、前記給電回路（１４０）を制御して所定の条件を満たす電力を前記連動端子部（１３０）から出力させる点灯処理を行う機能である。前記連動機能は、前記連動端子部（１３０）に入力される電力が前記所定の条件を満たしていると前記判定回路（１５０）が判断すると前記点灯回路（１２０）を制御して前記光源（３０）を点灯させる機能である。前記制御回路（１６０；１６１）は、第１機能及び第２機能を有する。前記第１及び第２点灯制御装置（１０，１０Ａ，１０Ｂ；１１，１１Ａ，１１Ｂ）は、それぞれの連動端子部（１３０）同士で電気的に接続される。前記点灯制御方法は、前記第１点灯制御装置（１０Ａ；１１Ａ）において、前記制御回路（１６０；１６１）により前記給電回路（１４０）を制御して、前記所定の条件を満たさない電力を前記連動端子部（１３０）から出力することを含む。前記点灯制御方法は、さらに、前記第２点灯制御装置（１０Ｂ；１１Ｂ）において、前記判定回路（１５０）により、前記連動端子部（１３０）に入力された電力が前記所定の条件を満たしているか否かを判定することを含む。前記点灯制御方法は、さらに、前記第２点灯制御装置（１０Ｂ；１１Ｂ）において、前記連動端子部（１３０）に入力された電力が前記所定の条件を満たしていない場合に、前記制御回路（１６０；１６１）により前記連動機能を無効にすることを含む。第９の態様によれば、点灯制御装置（１０，１０Ａ，１０Ｂ；１１，１１Ａ，１１Ｂ）間の連動動作の設定の変更を当該点灯制御装置（１０，１０Ａ，１０Ｂ；１１，１１Ａ，１１Ｂ）間の配線を変更せずに行えるという効果を奏する。
【符号の説明】
【００８８】
１０，１１  点灯制御装置
１０Ａ，１１Ａ  第１点灯制御装置
１０Ｂ，１１Ｂ  第２点灯制御装置
１１０  電源端子部
１２０  点灯回路
１３０  連動端子部
１４０  給電回路
１５０  判定回路
１６０，１６１  制御回路
１８０  入力器
２０  連動点灯装置
２１０  接続端子部
２２０  駆動回路
３０  光源
４０  センサ
【図１】
2018073685.tif 000003
【図２】
2018073685.tif 000004
【図３】
2018073685.tif 000005
【図４】
2018073685.tif 000006
【図５】
2018073685.tif 000007